(57)【特許請求の範囲】
【請求項１】
体温計本体と、該体温計本体に設置されたプローブとを有し、前記プローブに該プローブを被覆するプローブカバーを装着し、耳内から発せられる赤外線の強度を検出することにより体温を測定する耳式の体温計であって、
前記プローブカバーの前記プローブに対する装着を固定する機能と、前記プローブを前記体温計本体に対し固定する機能とを有し、前記体温計本体に対し螺合するリングナットを備え、
前記リングナットの外周面には、その固定操作または固定解除操作の際の滑りを防止する滑り止め手段として、複数の溝が円周方向に所定間隔をおいて形成されていることを特徴とする耳式体温計。
【請求項２】
体温計本体と、該体温計本体に設置されたプローブとを有し、前記プローブに該プローブを被覆するプローブカバーを装着し、耳内から発せられる赤外線の強度を検出することにより体温を測定する耳式の体温計であって、
前記プローブカバーの前記プローブに対する装着を固定する機能と、前記プローブを前記体温計本体に対し固定する機能とを有し、前記体温計本体に対し螺合するリングナットであって、形状または寸法の異なるものを交換して使用し得る少なくとも１つのリングナットを備え、
前記リングナットの外周面には、その固定操作または固定解除操作の際の滑りを防止する滑り止め手段として、複数の溝が円周方向に所定間隔をおいて形成されていることを特徴とする耳式体温計。
【請求項３】
体温計本体と、該体温計本体に設置されたプローブとを有し、前記プローブに該プローブを被覆するプローブカバーを装着し、耳内から発せられる赤外線の強度を検出することにより体温を測定する耳式の体温計であって、
前記プローブカバーの前記プローブに対する装着を固定する機能と、前記プローブを前記体温計本体に対し固定する機能とを有し、前記体温計本体に対し螺合するリングナットであって、前記プローブの突出長さを異ならせるものを交換して使用し得る少なくとも１つのリングナットを備え、
前記リングナットの外周面には、その固定操作または固定解除操作の際の滑りを防止する滑り止め手段として、複数の溝が円周方向に所定間隔をおいて形成されていることを特徴とする耳式体温計。
【請求項４】
前記リングナットは、前記プローブが耳腔に挿入される深さを規制する機能を有する請求項１ないし３のいずれかに記載の耳式体温計。
【請求項５】
前記リングナットは、平坦な端面を有し、該端面が耳腔入口付近に当接することにより、前記プローブの耳腔への挿入深さを規制する請求項４に記載の耳式体温計。
【請求項６】
前記プローブは、前記体温計本体に対し着脱自在に設置されている請求項１ないし５のいずれかに記載の耳式体温計。
【発明の詳細な説明】
【０００１】
【発明の属する技術分野】
本発明は、耳式体温計に関するものである。
【０００２】
【従来の技術】
従来、病院等の医療機関や家庭などで体温の測定を体温計として、耳腔（外耳道）内にプローブ（検温部）を挿入し、鼓膜から放射される赤外線（熱線）を検出し、その赤外線の強度によって体温を測定する耳式体温計が提案されている。
【０００３】
この耳式体温計では、例えば複数の患者の体温を測定する場合に、感染防止等の衛生管理上の問題から、プローブを被覆し、検温の度に交換される使い捨てのプローブカバーがプローブに装着される。
【０００４】
特公平６−４２８７２号公報に示すように、プローブカバーのプローブへの装着は、プローブカバーがプローブに嵌合してその装着状態を維持するか、または、プローブカバーの内面に形成されたリング状の凹部がプローブの外面に形成されたリング状の凸部に嵌合してその装着状態を維持するよう構成されている。
【０００５】
しかしながら、このような単なる嵌合による装着状態の維持では、嵌合強度にバラツキがあり、装着状態を安定的に維持できない場合がある。この場合、体温測定後、プローブカバーが装着されたプローブを耳腔から抜き取った際に、プローブカバーだけが耳腔内に残ってしまうといった不都合が生じることがある。
【０００６】
また、プローブカバーをプローブから容易に取り外すことができるので、乳幼児が誤ってプローブカバーを取り外し、口に入れる等の不都合も生じる。
【０００７】
また、プローブカバーがプローブから外れないまでも、プローブに対しズレを生じることがあり、このことが測定精度を低下させる原因となる。
【０００８】
また、プローブカバーを装着したプローブは、耳腔への挿入を容易にするため、先端方向に向かって先細りとなるようなテーパ形状をなしているが、そのため、プローブの耳腔への挿入深さは、その押し込み力に左右され、一定の挿入深さを得ることが難しい。これにより、再現性が悪く、体温の測定値にバラツキが生じ、測定精度を低下させるという欠点があるとともに、プローブの耳腔への挿入深さが深過ぎて耳の奥部を傷つけるおそれが生じる。
【０００９】
【発明が解決しようとする課題】
本発明の目的は、プローブカバーのプローブへの装着を安定させることができ、また、検温の精度を向上することができる耳式体温計を提供することにある。
【００１０】
【課題を解決するための手段】
このような目的は、下記（１）〜（６）の本発明により達成される。
【００１１】
（１）  体温計本体と、該体温計本体に設置されたプローブとを有し、前記プローブに該プローブを被覆するプローブカバーを装着し、耳内から発せられる赤外線の強度を検出することにより体温を測定する耳式の体温計であって、
前記プローブカバーの前記プローブに対する装着を固定する機能と、前記プローブを前記体温計本体に対し固定する機能とを有し、前記体温計本体に対し螺合するリングナットを備え、
前記リングナットの外周面には、その固定操作または固定解除操作の際の滑りを防止する滑り止め手段として、複数の溝が円周方向に所定間隔をおいて形成されていることを特徴とする耳式体温計。
【００１２】
（２）  体温計本体と、該体温計本体に設置されたプローブとを有し、前記プローブに該プローブを被覆するプローブカバーを装着し、耳内から発せられる赤外線の強度を検出することにより体温を測定する耳式の体温計であって、
前記プローブカバーの前記プローブに対する装着を固定する機能と、前記プローブを前記体温計本体に対し固定する機能とを有し、前記体温計本体に対し螺合するリングナットであって、形状または寸法の異なるものを交換して使用し得る少なくとも１つのリングナットを備え、
前記リングナットの外周面には、その固定操作または固定解除操作の際の滑りを防止する滑り止め手段として、複数の溝が円周方向に所定間隔をおいて形成されていることを特徴とする耳式体温計。
【００１３】
（３）  体温計本体と、該体温計本体に設置されたプローブとを有し、前記プローブに該プローブを被覆するプローブカバーを装着し、耳内から発せられる赤外線の強度を検出することにより体温を測定する耳式の体温計であって、
前記プローブカバーの前記プローブに対する装着を固定する機能と、前記プローブを前記体温計本体に対し固定する機能とを有し、前記体温計本体に対し螺合するリングナットであって、前記プローブの突出長さを異ならせるものを交換して使用し得る少なくとも１つのリングナットを備え、
前記リングナットの外周面には、その固定操作または固定解除操作の際の滑りを防止する滑り止め手段として、複数の溝が円周方向に所定間隔をおいて形成されていることを特徴とする耳式体温計。
【００１４】
（４）  前記リングナットは、前記プローブが耳腔に挿入される深さを規制する機能を有する上記（１）ないし（３）のいずれかに記載の耳式体温計。
【００１５】
（５）  前記リングナットは、平坦な端面を有し、該端面が耳腔入口付近に当接することにより、前記プローブの耳腔への挿入深さを規制する上記（４）に記載の耳式体温計。
【００１６】
（６）  前記プローブは、前記体温計本体に対し着脱自在に設置されている上記（１）ないし（５）のいずれかに記載の耳式体温計。
【００２１】
【発明の実施の形態】
以下、本発明の耳式体温計（以下単に「体温計」という）を添付図面に示す好適実施例に基づいて詳細に説明する。
【００２２】
図１および図２は、それぞれ、本発明の体温計の正面図および側面図、図３は、本発明の体温計に装着されるプローブカバーの構成例を示す縦断面図、図４は、本発明の体温計においてプローブにプローブカバーを装着した状態を示す図１中のＡ−Ａ線断面図である。なお、説明の都合上、図１、図２の上側を「上部」、下側を「下部」、図３、図４の上側を「先端」、下側を「基端」と言う。
【００２３】
図１、図２および図４に示すように、本発明の体温計１は、鼓膜から発せられる赤外線の強度を測定することにより体温を検出する耳式体温計であり、ケーシング２１を有する体温計本体２と、体温計本体２の正面に設置された電源スイッチ３および表示部５と、体温計本体２の背面上部に設置された測定スイッチ４とを有している。
【００２４】
プローブ６は、体温計本体２の上部正面側に、体温計本体２に対し着脱自在に設置されている。図４に示すように、支持台７は、大径部７１と、その先端側の小径部７２とを有し、大径部７１および小径部７２の外周には、それぞれ、雄螺子７３、７４が形成されている。支持台７は、アルミニウム、銅などからなる熱伝導性の良い金属ブロックで構成されているのが好ましい。
【００２５】
一方、管状のプローブ６の基端には、大径部７１の先端面に当接する基部６１を有するとともに、プローブ６の基端側内面には、前記雄螺子７４と螺合する雌螺子６２が形成されている。これらの雄螺子７４と雌螺子６２を螺合することにより、プローブ６が支持台７に支持、固定される。また、支持台７は、回路基板（図示せず）に固定され、その回路基板は、ケーシング２１に固定されている。
【００２６】
また、プローブ６は、その外径が先端に向かって漸減する形状をなしており、プローブ６の先端外周部（縁部）６３は、耳腔内へ挿入したときの安全性を考慮して、丸みを帯びた形状をなしている。
【００２７】
なお、プローブ６の材質としては、ＡＢＳ樹脂、スチロール系樹脂等の樹脂材料が挙げられる。また、プローブ６の構成材料中には、抗菌剤や強化用のガラス等の添加物を添加することもできる。
【００２８】
支持台７の中心部には、その先端から導入された赤外線（熱線）を赤外線センサー（温度検出センサー）１０へ導くライトガイド（導波管）８が立設されている。ライトガイド８は、好ましくは熱伝導性の良い銅などの金属で構成され、その内面には、金メッキが施されている。
【００２９】
また、ライトガイド８には、その先端開口を覆うように保護シート８１が被覆されている。これにより、ライトガイド８の内部にゴミ、塵等が侵入することが防止される。なお、保護シート８１は、赤外線透過性を有するものであり、その構成材料としては、後述するプローブカバー１１と同様の樹脂材料が挙げられる。保護シート８１の膜厚は、例えば０．０３〜０．０８ｍｍ程度とすることができる。
【００３０】
支持台７の大径部７１には、リングナット（固定部材）９が螺合される。すなわち、リングナット９の基端側内面には、雌螺子９１が形成され、この雌螺子９１が大径部７１の雄螺子７３と螺合することにより、リングナット９が支持台７に支持、固定される。
【００３１】
このリングナット９は、雌螺子９１の先端付近からその外径が先端方向へ向かって漸減するテーパ部９２を有している。テーパ部９２の内面には、プローブカバー１１の胴部１２に係合する係合部９３が形成されている。また、リングナット９の材質としては、ＡＢＳ樹脂、スチロール系樹脂等の樹脂材料が挙げられる。また、リングナット９の構成材料中には、抗菌剤や強化用のガラス等の添加物を添加することもできる。
【００３２】
プローブ６にプローブカバー１１を被せ、リングナット９を装着し、所定方向に回転操作して螺合すると、プローブカバー１１の胴部１２がプローブ６の傾斜部６４とリングナット９の係合部９３とで挟持され、プローブカバー１１がプローブ６に対し確実に固定される。
【００３３】
なお、本実施例のプローブカバー１１の開口端（基端）の周囲にフランジ取り付け基部等を設け、このフランジ等をプローブ６とリングナット９の間で挟持してプローブカバー１１を固定することもできる。
【００３４】
従って、体温測定中等に、プローブカバー１１がプローブ６に対しズレを生じることがなく、高い測定精度が維持される。さらに、プローブカバー１１は、プローブ６から容易に離脱することがないので、例えば、体温測定後、耳腔からプローブ６を抜き取った際に、プローブカバー１１だけが耳腔内に残ってしまうといった不都合が確実に防止される。
【００３５】
また、プローブカバー１１をプローブ６から取り外すには、リングナット９を相当の力で回転操作して大径部７１との螺合を解除しなければならないので、乳幼児が誤ってプローブカバー１１を取り外し、口に入れる等の不都合も防止される。
【００３６】
リングナット９の先端面９４は、ほぼ平坦な面を構成している。プローブ６を耳腔に挿入したとき、この先端面９４は、耳腔入口付近に当接し、プローブ６の耳腔への挿入深さを一定の深さに規制する。このため、常に適正条件での測定が可能となり、耳腔への挿入深さの変動による測定誤差を防止することができるとともに、プローブ６の耳腔内に深く入り過ぎて耳の奥部を傷つけるといった不都合も生じない。
【００３７】
また、リングナット９のテーパ部９２の外周面には、リングナット９を締めつける方向または弛める方向に回転操作する際の滑り止め効果を発揮する複数の溝（滑り止め手段）９５が円周方向に所定間隔をおいて形成されている。
【００３８】
なお、溝９５のような凹部に限らず、凸部であっても同様の機能を発揮することができる。また、ゴムのような高摩擦材料を配してもよい。
【００３９】
赤外線センサー１０は、サーモパイル（熱電対列）を備え、熱絶縁帯を介して中心側に位置する集熱部に前記サーモパイルの温接点が、熱絶縁帯の外周側に冷接点がそれぞれ設置された構成をなしている。そして、赤外線照射により暖められた温接点と赤外線が照射されない冷接点との温度差に相当するサーモパイル出力信号と、赤外線センサー１０の近くもしくは内部に設置されるサーミスタ（図示せず）により出力される冷接点の温度に相当する信号との関数として、体温を測定するものである。
【００４０】
次に、プローブ６に装着されるプローブカバー１１の好適な構成例について、図３を参照しつつ説明する。
【００４１】
プローブカバー１１は、基端が開放し、先端が閉じた形状をなしている。このプローブカバー１１は、筒状の胴部１２と、胴部１２の先端部に形成された赤外線を透過し得る膜１４と、膜１４の外周部に形成され、該膜１４より先端側に突出するリング状のリップ部１５とで構成されている。
【００４２】
そして、胴部１２、膜１４およびリップ部１５は、後述する製造方法との関係で、好ましくは樹脂材料により一体的に形成されている。この樹脂材料としては、例えばポリエチレン、ポリプロピレン、エチレン−酢酸ビニル共重合体などのポリオレフィン、ポリエチレンテレフタレート、ポリブチレンテレフタレート等のポリエステル、スチロール系樹脂等が挙げられる。
【００４３】
胴部１２は、その外径および内径が先端へ向かって漸減している。また、胴部１２の厚さも、先端へ向かって漸減している。
【００４４】
膜１４の厚さは、特に限定されないが、０．０１〜０．１０ｍｍ程度が好ましく、０．０５〜０．０７ｍｍ程度がより好ましい。膜１４の厚さが薄過ぎると、膜材料によっては、強度不足を生じ、破れ等の破損を生じ易くなり、また、膜１４の厚さが厚過ぎると、赤外線の透過率が低下し、高精度の体温測定の妨げとなるおそれがある。
【００４５】
このプローブカバー１１では、リップ部１５が存在することにより、膜１４がプローブカバー１１の先端から所定距離（Ｈ）だけ基端側へ下がった状態となる。これにより、プローブ６にプローブカバー１１を装着し、耳腔内に挿入したとき、膜１４が耳腔の内面やその周辺部に触れることや、プローブカバー１１のプローブ６への着脱操作時等に指等が触れることが防止され、膜１４の表面を清浄に保つことができるので、より高い測定精度を維持することができる。
【００４６】
このリップ部１５は、その内側がプローブ６の先端部に嵌合する形状をなしている。すなわち、図４に示すように、プローブ６にプローブカバー１１を装着した状態では、リップ部１５がプローブ６の先端外周部６３に嵌合する。これにより、耳腔内への挿入時（測定時）等に、プローブカバー１１の先端部がプローブ６に対しズレを生じることが防止されるとともに、膜１４が一定の張力で張られ、膜１４にしわやたるみが生じることが防止されるので、測定精度の向上に寄与する。
【００４７】
また、リップ部１５の先端は、丸みを帯びた形状をなしている。これにより、耳腔内への挿入に際し、痛みを感じたり、耳腔内壁を傷つけたりすることがなく、高い安全性が確保される。
【００４８】
リップ部１５の高さＨが低過ぎると、リップ部１５を設けたことによる前記効果が十分に発揮されず、また、リップ部１５の高さＨが高過ぎると、材質等の他の条件によっては、プローブカバー１１の成形時に、膜１４の厚さが不均一となり、薄い部分にしわや破損が生じ易くなる等の不都合が生じることがある。
【００４９】
よって、リップ部１５の高さＨは、膜１４の直径をＤとしたとき、４≦Ｄ／Ｈ≦５５なる関係を満足するのが好ましい。
【００５０】
プローブカバー１１の製造方法は、特に限定されないが、その一例を挙げれば、次のような方法で製造（成形）されるのが好ましい。
【００５１】
プローブカバー１１を成形する樹脂シートを用意し、該樹脂シートの図３中下方から樹脂シートをヒーターにより加熱し、樹脂シートを十分に軟化させ、ヒーターを取り外す。その後、樹脂シートの図３中下方から円錐台形状のシート押し込み部材を接触させ、樹脂シートの上方から、プローブカバー１１の外側形状に対応する形状をなした雌型金型を樹脂シートに接触させ、前記シート押し込み部材で樹脂シートを雌型金型の途中まで押し込んだ後、雌型金型のリップ部に相当する部分に予め形成された細孔から真空ポンプにより吸引する。これにより、軟化した樹脂シートは、雌型金型内部に引っ張られ、雌型金型内部に密着する。この状態で、樹脂シートを冷却することにより、樹脂シートは固化し、雌型金型の内部形状に成形される。次に、吸引を停止し、雌型金型を上方に移動することにより、プローブカバー１１の形状に成形された樹脂シートを取り外す。その後プローブカバー１１の基端側を切断して（打ち抜いて）、プローブカバー１１を得る。
【００５２】
また、他の方法としてプローブカバー１１を成形する樹脂シートを用意し、プローブカバー１１の内側形状に対応する形状をなし、かつ前記樹脂シートが溶融または軟化する程度の温度まで加熱された金型により前記樹脂シートを図３中下方から上方へ押圧して熱変形させるとともに、膜１４に対応する平坦面を有する同様の加熱金型を図３中上方から下方へ移動し、両金型で膜１４の部分を挟持し、その挟持圧力を調整して所望の膜厚を得る。その後、両金型を除去し、プローブカバー１１の形状に変形した樹脂シートを冷却、固化し、プローブカバー１１の基端側を切断して（打ち抜いて）、プローブカバー１１を得る。
【００５３】
プローブカバー１１の実際の製造においては、樹脂シートは加熱されると、自重により鉛直下方へたれ下るので、上下方向を図３とは逆にして製造するのが好ましい。
【００５４】
なお、プローブカバー１１の構成は、図３に示すものに限定されないことは言うまでもない。
【００５５】
また、本発明の体温計１は、形状または寸法の異なる２以上のリングナットを交換して使用することができるものである。図５は、図４に示すリングナットとは形状および高さが異なるリングナットを装着した状態を示す縦断面図である。すなわち、図５に示すリングナット９０は、図４に示すリングナット９に比べ、テーパ部９２の高さが高く、かつ先端の外径が小さく、それ以外の構成およびリングナットの機能は同様である。このリングナット９０を装着した場合には、先端面９４からのプローブ６の突出長さが図４の構成に比べて短く設定されるため、プローブ６の耳腔への挿入深さが短くなる。
【００５６】
このように、形状または寸法の異なるリングナットを交換して使用することができるので、プローブ６の耳腔への挿入深さやプローブ６の外径等を年齢や個人差に応じて適正な条件に設定することができ、各々の場合において、測定精度を向上することができる。
【００５７】
なお、交換可能なリングナットとしては、例えば、その高さが同一で、先端部の形状または先端面９４の面積が異なるものを含んでいてもよい。
【００５８】
次に、体温計１の使用方法について説明する。
体温計本体２の支持台７の小径部７２に前述したようにしてプローブ６を螺合、装着し、さらに、該プローブ６にプローブカバー１１を被せる。次いで、その上から、選択されたリングナット９または９０を挿通し、支持台７の大径部７１に螺合する。これにより、プローブカバー１１の胴部１２がプローブ６の傾斜部６４とリングナット９または９０の係合部９３とで挟持され、プローブカバー１１がプローブ６に対し固定される。これにより、プローブカバー１１の装着が完了する。
【００５９】
次に、電源スイッチ３をＯＮの状態とし、所定時間経過後、体温計本体２を把持し、プローブカバー１１で被包されたプローブ６を耳腔内に挿入する。
【００６０】
次に、測定スイッチ４を所定時間押圧する。これにより、体温の測定がなされる。すなわち、鼓膜から放射された赤外線（熱線）は、膜１４および保護シート８１を順次透過し、ライトガイド８内に導入され、その内面で反射を繰り返して赤外線センサー１０に到達する。
【００６１】
そして、前述したように、赤外線センサー１０で受光した赤外線の強度を温度に換算し、体温を検出する。検出された体温は、表示部５に表示される。
【００６２】
図６は、本発明の体温計の他の実施例を示すプローブ付近の縦断面図である。同図に示す体温計は、リングナットがプローブとプローブカバーとを同時に体温計本体に対し固定する機能を有するものである。以下、図１〜図５に示す実施例と相違する点を中心に説明する。
【００６３】
プローブ６は、体温計本体２の上部正面側に、体温計本体２に対し着脱自在に設置されている。
【００６４】
支持台７は、外周に雄螺子７３が形成された大径部７１と、その先端側の小径部７２とを有している。大径部７１の先端には、リング状の溝７１１が形成されている。また、小径部７２は、プローブ６の基端側内部に挿入し得るよう、テーパ状をなしている。
【００６５】
プローブ６の基端には、基部６１が形成されている。この基部６１の基端は、溝７１１に嵌合する形状をなしている。すなわち、例えばリング状をなす突部６１１が形成されている。
【００６６】
また、プローブ６は、その外径が先端に向かって漸減する形状をなしており、プローブ６の先端外周部６３は、耳腔内へ挿入したときの安全性を考慮して、丸みを帯びた形状をなしている。
【００６７】
支持台７の中心部には、前記と同様のライトガイド（導波管）８が立設されている。このライトガイド８には、その先端開口を覆うように前記と同様の保護シート８１が被覆されている。
【００６８】
この保護シート８１は、ライトガイド８に挿通されたそろばん玉形状のフェルル（保護シート固定部材）８２により挟持され、緊張状態で固定されている。フェルル８２の基端部は、小径部７２の先端に形成された凹部７２１内に挿入されている。
【００６９】
支持台７の大径部７１には、前記と同様のリングナット９６が螺合される。すなわち、リングナット９６の基端側内面には、雌螺子９１が形成され、この雌螺子９１が大径部７１の雄螺子７３と螺合することにより、リングナット９６が支持台７に支持、固定される。
【００７０】
このリングナット９６は、雌螺子９１の先端付近からその外径が先端方向へ向かって漸減するテーパ部９２を有し、テーパ部９２の内面には、プローブカバー１１に係合する係合部９３が形成されている。
【００７１】
プローブ６にプローブカバー１１を被せた状態で、突部６１１を溝７１１に嵌合する。次いで、リングナット９６を装着し、所定方向に回転操作して螺合すると、プローブカバー１１が係合部９３で係合すると共に基部６１が支持台７の大径部７１とリングナット９の係合部９３との間に挟持され、プローブ６が体温計本体２に対し確実に固定される。これにより、前記と同様の効果が得られる。
【００７２】
なお、リングナット９６の螺合によりプローブ６およびプローブカバー１１が体温計本体２に対し固定された状態では、フェルル８２の外周部がプローブ６の内面に当接して押圧され、フェルル８２がライトガイド８の中心軸方向および基端方向への応力を受ける。これにより、保護シート８１が基端方向へ引っ張られ、保護シート８１の少なくともライトガイド８の先端開口を遮蔽する部分は、しわのない緊張状態とされる。
【００７３】
リングナット９６の先端面９４は、ほぼ平坦な面を構成し、前記と同様に、プローブ６の耳腔への挿入深さを一定の深さに規制する機能を有している。
【００７４】
また、リングナット９６のテーパ部９２の外周面には、前記と同様の複数の溝（滑り止め手段）９５が円周方向に所定間隔をおいて形成されている。
【００７５】
なお、本実施例のプローブカバー１１の開口端（基端）の周囲にフランジ取り付け基部等を設け、このフランジ等をプローブ６とリングナット９の間で挟持してプローブカバー１１を固定することもできる。
【００７６】
また、リングナット９６のプローブカバー１１と係合する係合部９３を面接触とすることで、プローブカバー１１の銅部１２の広い部分を挟持することができる。
【００７７】
なお、本実施例においても、前記と同様に、形状または寸法の異なる２以上のリングナットを交換して使用することが可能である。
【００７８】
以上のような構成の体温計では、プローブ６とプローブカバー１１とを体温計本体２に対し同時に着脱することができるので、その操作が容易であるという利点がある。
【００７９】
また、プローブ６の内面に螺子を形成する必要がないことから、プローブ６を取り外しての清掃が容易となるという利点もある。
【００８０】
以上、本発明の体温計を添付図面に示す実施例に基づいて説明したが、本発明は、これに限定されるものではない。
【００８１】
また、プローブカバーは、リップ部を有さないものでもよく、あるいは、複数の部材を接合して構成されたものであってもよい。
【００８２】
【発明の効果】
以上述べたように、本発明の体温計によれば、リングナットを備えることにより、プローブカバーのプローブへの装着を安定させることができる。特に、プローブカバーがプローブから容易に離脱することがないので、例えば、体温測定後、耳腔からプローブを抜き取った際に、プローブカバーだけが耳腔内に残ってしまうといった不都合が確実に防止される。また、螺合部材をリングナット等で構成しているので、乳幼児が誤ってプローブカバーを取り外し、口に入れる等の不都合も防止される。
【００８３】
また、異なるリングナットを交換して使用するものの場合には、プローブの耳腔への挿入深さ等を年齢や個人差に応じて適正な条件に設定することができる。
【００８４】
また、リングナットがプローブの被測定部位への挿入深さを規制する機能を有する場合には、耳腔への挿入深さの変動による測定誤差を防止することができるとともに、プローブの耳腔内に深く入り過ぎて耳の奥部を傷つけるといった不都合も防止できる。
【００８５】
以上より、プローブカバーの離脱や位置ズレ等を生じることがなく、より適正な測定条件で体温測定を行うことができるので、測定精度が向上するとともに、安全性も高い。
【図面の簡単な説明】
【図１】本発明の体温計の正面図である。
【図２】本発明の体温計の側面図である。
【図３】本発明の体温計に用いられるプローブカバーの構成例を示す縦断面図である。
【図４】プローブカバーを装着した状態の図１中のＡ−Ａ線断面図である。
【図５】図４に示すリングナットと異なるリングナットを装着した状態を示す縦断面図である。
【図６】本発明の体温計の他の実施例を示すプローブ付近の縦断面図である。
【符号の説明】
１            体温計
２            体温計本体
２１          ケーシング
３            電源スイッチ
４            測定スイッチ
５            表示部
６            プローブ
６１          基部
６１１        突部
６２          雄螺子
６３          先端外周部
６４          傾斜部
７            支持台
７１          大径部
７１１        溝
７２          小径部
７２１        凹部
７３、７４    雄螺子
８            ライトガイド
８１          保護シート
８２          フェルル
９            リングナット
９０          リングナット
９１          雌螺子
９２          テーパ部
９３          係合部
９４          先端面
９５          溝
９６          リングナット
１０          赤外線センサー
１１          プローブカバー
１２          胴部
１４          膜
１５          リップ部
【図１】
0003615359.tif 000002
【図２】
0003615359.tif 000003
【図３】
0003615359.tif 000004
【図４】
0003615359.tif 000005
【図５】
0003615359.tif 000006
【図６】
0003615359.tif 000007